(57)【要約】【課題】作業効率を高めた画像形成置等を提供する。【解決手段】画像データが印刷された画像上における２つの第１特定点の位置情報を、画像データが印刷された印刷物Ｐから取得し（Ｓ３）、各第１特定点に対応する第２特定点の位置情報を、画像データが表示された画面上から取得し（Ｓ５）、第１特定点の位置情報と、第２特定点の位置情報とから、画像データから印刷物への印刷する際の変倍率を算出する（Ｓ６）。【選択図】図３
2014045348.tif 000002
【特許請求の範囲】
【請求項１】
画像データが印刷された画像上における２つの第１特定点の位置情報を、前記画像データが印刷された印刷物から取得する第１位置情報取得手段と、
各前記第１特定点に対応する第２特定点の位置情報を、前記画像データが表示された画面上から取得する第２位置情報取得手段と、
前記第１特定点の位置情報と、前記第２特定点の位置情報とから、前記画像データから前記印刷物への印刷する際の変倍率を算出する変倍率算出手段と、
を備えることを特徴とする画像形成装置。
【請求項２】
請求項１に記載の画像形成装置において、
前記第１特定点が前記印刷物上に印刷された画像の特徴点であり、前記第２特定点が、前記画面上に表示された画像の特徴点であることを特徴とする画像形成装置。
【請求項３】
請求項１または請求項２に記載の画像形成装置において、
前記第１位置情報取得手段が、前記第１特定点の位置情報を、前記印刷物が載せられたタブレットから取得することを特徴とする画像形成装置。
【請求項４】
請求項１から３のいずれか１項に記載の画像形成装置において、
前記第１位置情報取得手段と前記第２位置情報取得手段とを繰り返す連続位置情報取得手段を更に備えたことを特徴とする画像形成装置。
【請求項５】
画像形成装置が、画道データの画像を形成する画像形成方法において、
前記画像データが印刷された画像上における２つの第１特定点の位置情報を、前記画像データが印刷された印刷物から取得する第１位置情報取得ステップと、
各前記第１特定点に対応する第２特定点の位置情報を、前記画像データが表示された画面上から取得する第２位置情報取得ステップと、
前記第１特定点の位置情報と、前記第２特定点の位置情報とから、前記画像データから前記印刷物への印刷する際の変倍率を算出する変倍率算出ステップと、
を有することを特徴とする画像形成方法。
【請求項６】
コンピュータを、
画像データが印刷された画像上における２つの第１特定点の位置情報を、前記画像データが印刷された印刷物から取得する第１位置情報取得手段、
各前記第１特定点に対応する第２特定点の位置情報を、前記画像データが表示された画面上から取得する第２位置情報取得手段、および、
前記第１特定点の位置情報と、前記第２特定点の位置情報とから、前記画像データから前記印刷物への印刷する際の変倍率を算出する変倍率算出手段として機能させることを特徴とする画像形成装置用のプログラム。
【発明の詳細な説明】
【技術分野】
【０００１】
本発明は、画像の形成するための画像形成装置、画像形成方法、および、画像形成装置用のプログラムに関する。
【背景技術】
【０００２】
ＤＴＰ（DeskTop Publishing）作業において、印刷物のサイズに合わせ、画面上の画像データの画像サイズを指定し、画像データを変倍するデジタル画像形成装置が使用されている。例えば、特許文献１には、画像読取装置により原稿の画像を読み取って、記録紙上に記録するデジタル画像形成装置であって、記録紙に任意のマークが書き込まれ、変倍率および基準点を指定し、指定された変倍率および基準点のデータに基づく態様に応じてマークを読み取るデジタル画像形成装置が開示されている。
【先行技術文献】
【特許文献】
【０００３】
【特許文献１】特開平４−２９２６４号公報
【発明の概要】
【発明が解決しようとする課題】
【０００４】
しかしながら、画像読取装置を相対的に移動させ、原稿の画像を読み取るといった作業時間が伴うため、作業効率の向上を十分に上げることができなかった。
【０００５】
そこで、本発明は上記の問題点等に鑑みて為されたもので、その課題の一例は、作業効率を高めた画像形成装置等を提供することを目的とする。
【課題を解決するための手段】
【０００６】
上記の課題を解決するために、請求項１に記載の発明は、画像データが印刷された画像上における２つの第１特定点の位置情報を、前記画像データが印刷された印刷物から取得する第１位置情報取得手段と、各前記第１特定点に対応する第２特定点の位置情報を、前記画像データが表示された画面上から取得する第２位置情報取得手段と、前記第１特定点の位置情報と、前記第２特定点の位置情報とから、前記画像データから前記印刷物への印刷する際の変倍率を算出する変倍率算出手段と、を備えることを特徴とする。
【０００７】
また、請求項２に記載の発明は、請求項１に記載の画像形成装置において、前記第１特定点が前記印刷物上に印刷された画像の特徴点であり、前記第２特定点が、前記画面上に表示された画像の特徴点であることを特徴とする。
【０００８】
また、請求項３に記載の発明は、請求項１または請求項２に記載の画像形成装置において、前記第１位置情報取得手段が、前記第１特定点の位置情報を、前記印刷物が載せられたタブレットから取得することを特徴とする。
【０００９】
また、請求項４に記載の発明は、請求項１から３のいずれか１項に記載の画像形成装置において、前記第１位置情報取得手段と前記第２位置情報取得手段とを繰り返す連続位置情報取得手段を更に備えたことを特徴とする。
【００１０】
また、請求項５に記載の発明は、画像形成装置が、画道データの画像を形成する画像形成方法において、前記画像データが印刷された画像上における２つの第１特定点の位置情報を、前記画像データが印刷された印刷物から取得する第１位置情報取得ステップと、各前記第１特定点に対応する第２特定点の位置情報を、前記画像データが表示された画面上から取得する第２位置情報取得ステップと、前記第１特定点の位置情報と、前記第２特定点の位置情報とから、前記画像データから前記印刷物への印刷する際の変倍率を算出する変倍率算出ステップと、を有することを特徴とする。
【００１１】
また、請求項６に記載の発明は、コンピュータを、画像データが印刷された画像上における２つの第１特定点の位置情報を、前記画像データが印刷された印刷物から取得する第１位置情報取得手段、各前記第１特定点に対応する第２特定点の位置情報を、前記画像データが表示された画面上から取得する第２位置情報取得手段、および、前記第１特定点の位置情報と、前記第２特定点の位置情報とから、前記画像データから前記印刷物への印刷する際の変倍率を算出する変倍率算出手段として機能させることを特徴とする。
【発明の効果】
【００１２】
本発明によれば、印刷物から２つの第１特定点を特定し、画面上から２つの第２特定点を特定するだけで、変倍率を取得できるので、作業効率を高めることができる。
【図面の簡単な説明】
【００１３】
【図１】本発明の実施形態に係る画像形成システムの概要構成例を示す模式図である。
【図２】図１の画像形成装置の概要構成の一例を示すブロック図である。
【図３】図１の画像形成装置の動作例を示すフローチャートである。
【図４】サイズ測定の操作画面の一例を示す模式図である。
【図５】指定紙における特定点の指定の一例を示す模式図である。
【図６】画面上における特定点の指定の一例示す模式図である。
【図７】変換前の画像の一例を示す模式図である。
【図８】変換後の画像の一例を示す模式図である。
【図９】図１の画像形成装置の動作の変形例を示すフローチャートである。
【発明を実施するための形態】
【００１４】
以下、図面を参照して本発明の実施形態について説明する。なお、以下に説明する実施の形態は、画像形成システムに対して本発明を適用した場合の実施形態である。
【００１５】
［１．画像形成システムおよび画像形成装置１０の構成および機能概要］
（１．１  画像形成システム１の構成および機能）
まず、本発明の１実施形態に係る画像形成システムの構成および概要機能について、図１を用いて説明する。
【００１６】
図１は、本実施形態に係る画像形成システム１の概要構成例を示す模式図である。
【００１７】
図１に示すように、画像形成システム１は、画像データから印刷物への印刷する際の変倍率を算出する画像形成装置１０と、指定された位置の位置情報を読み取るタブレット２０と、を備えている。ここで、変倍とは、画像を拡大または縮小することであり、例えば、画像が矩形の場合、縦横の比率を変えて拡大または縮小することである。
【００１８】
画像形成装置１０と、タブレット２０とは、画像形成装置１０のインターフェースを介して接続されている。
【００１９】
コンピュータとして機能する画像形成装置１０は、画像データを表示したり、タブレット２０からの位置情報を取得したりする。
【００２０】
タブレット２０は、例えば、電磁誘導方式や抵抗膜方式等の機能を有するタブレット入力部２１ａを有するペンタブレットである。タブレット２０は、タブレット本体２１と、ペン２２とを有する。そして、タブレット２０は、タブレット本体２１の表面のタブレット入力部２１ａにペン２２の先が接触または近接した位置の位置情報を取得し、画像形成装置１０に位置情報を出力する。
【００２１】
タブレット本体２１の表面に、画像データが印刷された指定紙（印刷物の一例）Ｐが設置される。指定紙Ｐは、例えば、Ａ４サイズの紙である。
【００２２】
（１．２  画像形成装置１０の構成および機能）
次に、画像形成装置１０の構成および機能について、図２を用いて説明する。
図２は、画像形成装置１０の概要構成の一例を示すブロック図である。
【００２３】
図２に示すように、画像形成装置１０は、例えば、パーソナルコンピュータ等であり、通信部１１と、記憶部１２と、表示部１３と、操作部１４と、入出力インターフェース部１５と、システム制御部１６とを備えている。そして、システム制御部１６と入出力インターフェース部１５とは、システムバス１７を介して接続されている。
【００２４】
通信部１１は、ネットワークを介して他のサーバとのデータの送受信を行う。
【００２５】
記憶部１２は、例えば、ハードディスクドライブ等からなり、画像データ、オペレーティングシステム、画像形成用のプログラムとして変倍率を算出する変倍アプリケーション等を記憶する。なお、画像形成装置１０から取り外し可能なＵＳＢメモリ等の外部記憶部が、画像データを記憶しておいてもよい。
【００２６】
表示部１３は、例えば、液晶表示素子または有機ＥＬ素子等によって構成されている。表示部１３には、画像データの画像や、測定結果や、画像形成の結果等が表示される。
【００２７】
操作部１４は、例えば、キーボードおよびマウス等によって構成されている。ユーザは、操作部１４のマウスを使用して、表示部１３の画面上の位置情報を取得する。
【００２８】
入出力インターフェース部１５は、通信部１１および記憶部１２とシステム制御部１６とのインターフェースである。
【００２９】
システム制御部１６は、例えば、ＣＰＵ１６ａと、ＲＯＭ１６ｂと、ＲＡＭ１６ｃとを有する。システム制御部１６は、ＣＰＵ１６ａが、ＲＯＭ１６ｂや、ＲＡＭ１６ｃや、記憶部１２に記憶された各種プログラムを読み出して実行する。例えば、システム制御部１６は、画像形成のプログラムを実行する。なお、これらのプログラムを記憶した記録媒体等をシステム制御部１６が読み出し実行してもよい。
【００３０】
［２．画像形成システムの動作］
次に、本発明の１実施形態に係る画像形成システムの動作について図３から図８を用いて説明する。
【００３１】
図３は、画像形成装置の動作例を示すフローチャートである。図４は、サイズ測定の操作画面の一例を示す模式図である。図５は、指定紙における特定点の指定の一例を示す模式図である。図６は、画面上における特定点の指定の一例示す模式図である。図７および図８は、変換前の画像の一例を示す模式図である。
【００３２】
図３に示すように、画像形成装置１０は、変倍アプリケーションを起動する（ステップＳ１）。具体的には、画像形成装置１０のシステム制御部１６は、操作部１４を介したユーザの指示により変倍アプリケーションのプログラムを記憶部１２から読み出し、変倍アプリケーションを起動する。変倍アプリケーションが起動すると、例えば、図４に示すように、表示部１３の画面に変倍アプリケーション画面３０が開く。
【００３３】
そして、図４に示すように、ユーザがキャリブレーションのボタンをクリックすると、システム制御部１６は、キャリブレーションを行い、タブレット２０のタブレット入力部２１ａのサイズと、表示部１３の画面のサイズを、記憶部１２に記憶する。
【００３４】
次に、画像形成装置１０は、指定サイズの測定を開始する（ステップＳ２）。まず、ユーザは、図１に示すように、画像データが印刷された指定紙Ｐを、タブレット２０に設置する。指定紙Ｐにおいて画像データが印刷された部分が、タブレット本体２１のタブレット入力部２１ａに重なるように、指定紙Ｐは設置される。
【００３５】
そして、ユーザが操作部１４を介してボタン３１をクリックすると、システム制御部１６は、指定サイズの測定を開始する。
【００３６】
次に、画像形成装置１０は、印刷物上の特定点の位置情報を取得する（ステップＳ３）。指定サイズの測定が開始された後、図５に示すように、ユーザは、印刷された画像の中で、特徴点（第１特定点の一例）を２つ選ぶ。例えば、花の中心部分や葉の先のように、特定しやすい点が選択されて特定される。そして、ユーザは、指定紙Ｐ上の画像部分において、特徴点に、タブレット２０のペン２２のペン先を置く。
【００３７】
そして、タブレット２０は、置かれたペン２２の位置情報（ｘ１、ｙ１）および（ｘ２、ｙ２）を画像形成装置１０に出力する。次に、画像形成装置１０のシステム制御部１６は、画像データが印刷された画像上における２つの特徴点の位置情報をタブレット２０から取得する。
【００３８】
次に、システム制御部１６は、位置情報（ｘ１、ｙ１）および（ｘ２、ｙ２）の距離ｄ１を、位置情報（ｘ１、ｙ１）および（ｘ２、ｙ２）と、タブレットの解像度とから、算出する。そして、図４に示すように、システム制御部１６は、算出された距離ｄ１の値を表示部１３に表示する。
【００３９】
このように、画像形成装置１０は、画像データが印刷された画像上における２つの第１特定点の位置情報を、前記画像データが印刷された印刷物から取得する第１位置情報取得手段の一例として機能する。また、画像形成装置１０は、前記第１特定点の位置情報を、前記印刷物が載せられたタブレットから取得する第１位置情報取得手段の一例として機能する。
【００４０】
次に、画像形成装置１０は、画像サイズの測定を開始する（ステップＳ４）。ユーザが操作部１４を介してボタン３２をクリックすると、システム制御部１６は、画像サイズの測定を開始する。そして、システム制御部１６は、対応する画像データを記憶部１２から読み出し、図６に示すように、表示部１３に表示する。なお、図７に示すように、画像データに関する情報も表示部１３に表示される。
【００４１】
次に、画像形成装置１０は、画面上の特定点の位置情報を取得する（ステップＳ５）。画像サイズの測定が開始された後、図６に示すように、ユーザは、表示された画像の中で、印刷物上で特定された特徴点に対応する画面上の画像の特徴点（第２特定点の一例）の所にポインタ１４ａを移動させる。そして、ユーザは、それぞれの対応する特徴点のところでクリックする。
【００４２】
そして、のシステム制御部１６は、表示部１３において画像データが表示された画像上における２つの特徴点の位置情報（Ｘ１、Ｙ１）および（Ｘ２、Ｙ２）を取得する。次に、システム制御部１６は、位置情報（Ｘ１、Ｘ１）および（Ｘ２、Ｘ２）の距離ｄ２を、位置情報（Ｘ１、Ｘ１）および（Ｘ２、Ｙ２）と、表示部１３の画面の解像度と、画像データのデータサイズとから、算出する。そして、図４に示すように、システム制御部１６は、算出された距離ｄ２の値を表示部１３に表示する。
【００４３】
なお、ステップＳ２およびステップＳ３より、ステップＳ４およびステップＳ５が先でもよい。すなわち、印刷物上の特定点の位置情報を取得する前等、先に、画面サイズの測定を開始し、画面上の特定点の位置情報を取得してもよい。
【００４４】
なお、ユーザは、第１特定点として、印刷物に印刷された画像の隅の２点を指定してもよい。そして、ユーザは、この印刷された画像の隅の２点に対応する、画面上の画像の隅の２点を特定してもよい。
【００４５】
このように、画像形成装置１０は、各前記第１特定点に対応する第２特定点の位置情報を、前記画像データが表示された画面上から取得する第２位置情報取得手段の一例として機能する。
【００４６】
次に、画像形成装置１０は、変倍率を算出する（ステップＳ６）。具体的には、システム制御部１６は、距離ｄ１と、距離ｄ２とから、変倍率ｄ１／ｄ２を算出する。
【００４７】
なお、各第１および第２特定点は２点に限らず、３点以上でもよい。３点の場合、三角形の各辺に対して距離ｄ１および距離ｄ２が各３つ求まる。画像形成装置１０は、対応する各辺から変倍率を３つ求め、平均した変倍率を求めてもよい。
【００４８】
このように、画像形成装置１０は、前記第１特定点の位置情報と、前記第２特定点の位置情報とから、前記画像データから前記印刷物への印刷する際の変倍率を算出する変倍率算出手段の一例として機能する。
【００４９】
次に、画像形成装置１０は、変倍率を表示する（ステップＳ７）。具体的には、システム制御部１６は、算出された変倍率を、表示部１３に表示する。そして、システム制御部１６は、画像データに関連付けて、算出された変倍率を、記憶部１２に記憶する。
【００５０】
次に、印刷物および画面上で測定が終わった後、ユーザが操作部１４を介してボタン３３をクリックすると、図８に示すように、システム制御部１６は、算出された変倍率に基づいた画像を表示部１３に表示する。
【００５１】
以上、本実施形態によれば、画像データが印刷された画像上における２つの第１特定点の位置情報（ｘ１、ｙ１）および位置情報（ｘ２、ｙ２）を、画像データが印刷された指定紙（印刷物の一例）Ｐから取得し、各第１特定点に対応する第２特定点の位置情報（Ｘ１、Ｙ１）および位置情報（Ｘ２、Ｙ２）を、画像データが表示された画面上から取得し、第１特定点の位置情報と、第２特定点の位置情報とから、画像データから印刷物への印刷する際の変倍率を算出することにより、印刷物から２つの第１特定点を特定し、画面上から２つの第２特定点を特定するだけで、変倍率を取得できるので、作業効率を高めることができる。
【００５２】
本実施形態によれば、タブレット２０上の指定紙上の任意の２点と画面上の変倍を行いたい画像内の任意の２点を特定するだけで変倍を行うことができることより、大幅な作業効率化が図れる。
【００５３】
第１特定点が印刷物上に印刷された画像の特徴点であり、第２特定点が、画面上に表示された画像の特徴点である場合、ユーザが第１および第２特定点を特定しやすく、かつ、第１特定点と第２特定点との対応関係を間違えにくく、作業効率を高めることができる。また、画像データに対してトリミングした画像を印刷する場合でも適用できる。また、画面上の画像から測定を行うと、指定紙上の画像を測定する際に、画面で特徴点の位置を見ながら測定できるので間違いが少なくなる。
【００５４】
第１特定点の位置情報を、印刷物が載せられたタブレット２０から取得する場合、容易に印刷物から第１特定点を特定できる。
【００５５】
次に、画像形成装置１０の動作の変形例について、図９を用いて説明する。
図９は、画像形成装置１０の動作の変形例を示すフローチャートである。
【００５６】
図９に示すように、画像形成装置１０は、ステップＳ１のように、変倍アプリケーションを起動する（ステップＳ１１）。
【００５７】
次に、画像形成装置１０は、連続サイズ測定モードを開始する（ステップＳ１２）。具体的には、図４に示すように、ユーザは、変倍アプリケーション画面３０上で、連続測定モードを選択すると、画像形成装置１０のシステム制御部１６は、連続サイズ測定モードを開始する。
【００５８】
次に、画像形成装置１０は、ステップＳ５のように、１つ目の画像データの画面上の特定点の位置情報を取得する（ステップＳ１３）。
【００５９】
画面上の特定点の位置情報を取得した後、ユーザは、１つ目の画像データに対応する１枚目の指定紙Ｐをタブレット本体２１に設置する。
【００６０】
次に、画像形成装置１０は、ステップＳ３のように、印刷物上の特定点の位置情報を取得する（ステップＳ１４）。なお、ステップＳ１３より、ステップＳ１４が先でもよい。すなわち、画像データの表示部１３に表示する前、または、画像データの画面上の特定点の位置情報を取得する前等、先に指定紙Ｐをタブレット本体２１に設置し、印刷物上の特定点の位置情報を取得してもよい。
【００６１】
次に、画像形成装置１０は、ステップＳ６のように、変倍率を算出する（ステップＳ１５）。
【００６２】
次に、画像形成装置１０は、ステップＳ７のように、変倍率を表示する（ステップＳ１６）。
【００６３】
次に、画像形成装置１０は、終了か否かを判定する（ステップＳ１７）。例えば、変倍アプリケーション画面３０上の終了ボタンがクリックにより選択された否かを、システム制御部１６は判定する。
【００６４】
終了の場合（ステップＳ１７；ＹＥＳ）、システム制御部１６は、変倍アプリケーションを終了させる。
【００６５】
終了でない場合（ステップＳ１７；ＮＯ）、システム制御部１６は、ステップＳ１３の処理に戻り、次の画像データを表示部１３に表示する。ユーザは次の画像データの画像上の２つの特徴点を特定する。ユーザは、次の画像データに対応する次の指定紙Ｐをタブレット本体２１に設置する。そして、システム制御部１６は、次の指定紙Ｐに印刷された特定点の位置情報を取得する。
【００６６】
以上の作業を、ユーザは画像データの数の分、繰り返す。なお、算出された距離ｄ１、ｄ２の値や、変倍率は、表示部１３に表示されなくてもよい。
【００６７】
このように、第１位置情報取得手段と第２位置情報取得手段とを繰り返す場合、連続して処理できるので、作業効率をより高めることができる。
【００６８】
なお、第１位置情報取得手段として、画像形成装置１０は、印刷物を撮影した画像から第１特定点の位置情報を取得してもよい。例えば、画像形成装置１０は、印刷物を撮影した画像から画像処理により、特徴点（印刷物の隅の点を含む）を抽出して、この中から２点を選び第１特定点とする。
【００６９】
また、第２位置情報取得手段として、画像形成装置１０は、印刷物に対応する画像データから第２特定点の位置情報を取得してもよい。例えば、画像形成装置１０は、画像データから画像処理により、特徴点（画像の隅の点を含む）を抽出して、この中から２点を選び第２特定点とする。
【００７０】
印刷物は、紙に限らず、プラスチック製のシート、金属板でよい。さらに、立体の印刷物でもよい。
【００７１】
また、画像形成装置１０は、タッチパネルを備えたタブレットＰＣでもよい。この場合、タブレットＰＣのタッチパネル画面に指定紙Ｐを設置し、第１特定点を指定する。そして、タブレットＰＣのタッチパネル画面に画像データを表示して、第２特定点を指定する。
【００７２】
また、ユーザがデータを管理しやすいように、図４に示すように、保存先を指定するようにしたり（データ保存機能）、保存する画像が区別しやすいように、シャープネス等位の画像処理をしたり（シャープネス機能）、保存する画像をカラーまたはグレースケールに変更したり（カラー・グレースケール変更機能）や、保存する画像にプロファイルを埋め込むようにしたり（プロファイル指定機能）等、保存ファイルに関する設定ができるようにしてもよい。
【符号の説明】
【００７３】
１：画像形成システム
１０：画像形成装置
２０：タブレット
Ｐ：指定紙（印刷物）
【図２】
2014045348.tif 000003
【図３】
2014045348.tif 000004
【図４】
2014045348.tif 000005
【図９】
2014045348.tif 000006
【図１】
2014045348.tif 000007
【図５】
2014045348.tif 000008
【図６】
2014045348.tif 000009
【図７】
2014045348.tif 000010
【図８】
2014045348.tif 000011